(57)【特許請求の範囲】
【請求項１】
ケース内にポンプ室を形成する複数のダイヤフラムを備え、偏心回転軸により揺動される揺動体によって前記ダイヤフラムが上下動されてポンプ動作を行なう小型ポンプであって、前記各ダイヤフラムの底部中心部に吸気弁体を設けて吸気弁部を構成し、更に、駆動源となるモータを収納するモータケースを前記ケースの前記吸気弁部側に直結し、該ケースと該モータケースとの間に連通孔を設けると共に、該モータケースの下部に外気を導入するための吸気孔を形成した小型ポンプに於いて、
前記各ダイヤフラムの底部中心部に貫通孔を設け、該貫通孔に連通する空気導入孔を前記揺動体に開穿し、該貫通孔に上記吸気弁部を構成して成り、更に、前記ケース上板中央部に排気孔を開穿し、且つ、該排気孔外周に該排気孔と連通する環状凹溝を複数形成し、該環状凹溝と前記排気孔に前記ダイヤフラムの上端部から成る排気弁体を配設して排気弁部を構成したことを特徴とする小型ポンプ。
【発明の詳細な説明】
【０００１】
【発明の属する技術分野】
この発明は、小型ポンプに関するものであり、特に、血圧計等に用いられ、且つ、ダイヤフラムを使用する小型ポンプに関するものである。
【０００２】
【従来の技術】
従来の此種小型ポンプを図２に従って説明する。図に於て１は小型ポンプを示し、該小型ポンプ１は平面視長方形のケース２内にポンプ室３，３を形成する２個のダイヤフラム４，４が設けられ、該ダイヤフラム４，４は互いに一体に連結されてダイヤフラム集合体５を形成している。
【０００３】
そして、該ダイヤフラム集合体５の中央部には円筒状の排気弁体６が形成され、該排気弁体６は前記ケース２の上板７中央部に開穿された排気孔８内壁に圧接されている。又、該上板７には前記ダイヤフラム４，４の上方に位置して夫々傘型の吸気弁体９，９が取付けられている。該吸気弁体９，９は前記ダイヤフラム４，４側に傘部９ａ，９ａが形成され、そして、前記上板７に開穿された小孔１０，１０を貫通し、更に、前記上板７の上方に該小孔１０，１０より大径の止着部９ｂ，９ｂが形成されており、これによって前記吸気弁体９，９は前記上板７に圧着されている。又、前記小孔１０，１０の周縁部近傍には数個の吸気孔１１，１１…が形成され、前記吸気弁体９，９の前記傘部９ａ，９ａが該吸気孔１１，１１…を密閉している。
【０００４】
更に、前記ダイヤフラム４，４の下端部に揺動体１２が揺動自在に連結され、該揺動体１２は回転する偏心軸１３によって揺動するように構成されている。そして、該偏心軸１３の上端は前記揺動体１２の下部中心部に於て下方に突設して設けられたボス部１４内の挿入孔１４ａに遊嵌され、下端はモータ１５の回転駆動軸１６に固設された回転体１７の中心位置から離間した位置に形成された圧入孔１７ａに圧入されている。又、前記ボス部１４内挿入孔１４ａ内には前記偏心軸１３の先端部が該挿入孔１４ａ内で該挿入孔１４ａ内面を損傷することなく円滑に回転するようにボール１８が内装されている。
【０００５】
而して、前記モータ１５の回転駆動軸１６が回転し、これにより前記回転体１７が回転し該回転体１７の前記圧入孔１７ａに圧入された前記偏心軸１３が回転すると前記揺動体１２が揺動し、前記ダイヤフラム４，４の下端部を上下動させる。そして、一方のダイヤフラム４の下端部が前記揺動体１２により下動された時、該ダイヤフラム４内は負圧になり、前記排気弁体６は前記排気孔８を密閉し、一方、前記吸気弁体９の傘部９ａが開き前記吸気孔１１を密閉状態から解放して矢印Ａの如く吸気が行われる。次に、前記ダイヤフラム４の下端部が上動された時、該ダイヤフラム４内は高圧になり、前記吸気弁体９の前記傘部９ａは前記吸気孔１１を密閉状態にすると共に前記排気弁体６と前記排気孔８間が開放されて矢印Ｂの如く排気が行われる。
【０００６】
【発明が解決しようとする課題】
上記従来例の小型ポンプは、ケースの上板にダイヤフラムの上方に位置して夫々傘型の吸気弁体が取付けられ、該ダイヤフラムの下端部が揺動体により下動された時、該ダイヤフラム内は負圧になり、これによって排気弁体が排気孔を密閉し、一方、吸気弁体の傘部が開き吸気孔を密閉状態から解放して吸気が行われる。
【０００７】
然しながら、前記小型ポンプは吸気弁体がケースに直接取付けられており、又、該吸気弁体の作動部分である傘部が吸気孔を介して外部に連通しているので、該吸気弁体の作動音が外部に漏れて騒音を発生させていた。
【０００８】
そこで、ダイヤフラムを使用する小型ポンプに於て、吸気弁体の作動音による騒音を低減させるために解決すべき技術的課題が生じてくるのであり、本発明はこの課題を解決することを目的とする。
【０００９】
【課題を解決するための手段】
本発明は上記目的を達成するために提案されたものであり、ケース内にポンプ室を形成する複数のダイヤフラムを備え、偏心回転軸により揺動される揺動体によって前記ダイヤフラムが上下動されてポンプ動作を行なう小型ポンプであって、前記各ダイヤフラムの底部中心部に吸気弁体を設けて吸気弁部を構成し、更に、駆動源となるモータを収納するモータケースを前記ケースの前記吸気弁部側に直結し、該ケースと該モータケースとの間に連通孔を設けると共に、該モータケースの下部に外気を導入するための吸気孔を形成した小型ポンプに於いて、
前記各ダイヤフラムの底部中心部に貫通孔を設け、該貫通孔に連通する空気導入孔を前記揺動体に開穿し、該貫通孔に上記吸気弁部を構成して成り、更に、前記ケース上板中央部に排気孔を開穿し、且つ、該排気孔外周に該排気孔と連通する環状凹溝を複数形成し、該環状凹溝と前記排気孔に前記ダイヤフラムの上端部から成る排気弁体を配設して排気弁部を構成した小型ポンプを提供するものである。
【００１０】
【発明の実施の形態】
以下、本発明の一実施の形態を図１に従って詳述する。図に於て２１は小型ポンプであり、該小型ポンプ２１は平面視長方形のケース２２内にポンプ室２３，２３を形成する２個のダイヤフラム２４，２４が備えられ、該ダイヤフラム２４，２４の下部中心部には中空状取付体２５，２５が下方に突設して設けられ、該ダイヤフラム２４，２４の下方には、該ダイヤフラム２４，２４の下面を上下動させる揺動体２６が配設されている。尚、前記ケース２２は上ケース２２ａと、中ケース２２ｂと、下ケース２２ｃの３段で構成され、前記ダイヤフラム２４，２４は該ダイヤフラム２４，２４の鍔部２４ａ，２４ａ…が前記上ケース２２ａと前記中ケース２２ｂとの間に挟着されて前記ケース２２に保持されている。
【００１１】
そして、該揺動体２６の周辺部近傍であって、且つ、前記ダイヤフラム２４，２４の夫々の中心部下方に位置して、空気導入孔２７ａ，２７ａを有する軸体２７，２７が上方に突設して設けられ、該軸体２７，２７の外側面に前記ダイヤフラム２４，２４に設けた前記中空状取付体２５，２５の内側面が蜜嵌して前記揺動体２６に前記ダイヤフラム２４，２４が取付けられる。
【００１２】
又、前記各ダイヤフラム２４，２４の底部中心部は一部が切開されて、吸気弁体２８，２８が形成されると共に、該切開によって貫通孔２９，２９が設けられ、該吸気弁体２８，２８により、該貫通孔２９，２９を閉塞、開放可能にして吸気弁部Ｖ1，Ｖ1が構成される。尚、前記吸気弁体２８，２８の形成方法は前述の切開方法に限定されるものではなく、他の方法で形成することも可能である。
【００１３】
更に、前記揺動体２６の中心部には該揺動体２６を偏心回転により揺動させる偏心回転軸３０が貫通して固着される。そして、該揺動体２６の上方に前記中ケース２２ｂから延設されて延設部３１が設けられると共に、該延設部３１の下部に下方に開口する凹部３２が形成され、他方、前記下ケース２２ｃの下部側に配置された回転駆動軸３３上端に回転体３４が固着され、該回転体３４上部の中心位置から離間した位置に凹部３５が形成され、前記偏心回転軸３０の上端が前記凹部３２に遊嵌され、下端が前記凹部３５に遊嵌されている。
【００１４】
又、前記上ケース２２ａの中央部には排気孔３６が開穿され、且つ、該上ケース２２ａの下面部の該排気孔３６外周に該排気孔３６と連通する２個の下方に開口する環状凹溝３７，３７が設けられており、該環状凹溝３７，３７を形成する内壁面３７ａ、３７ａに前記ダイヤフラム２４，２４の上端部から成る排気弁体３８，３８を圧接させて排気弁部Ｖ2，Ｖ2が構成されている。
【００１５】
そして、前記下ケース２２ｃには前記回転駆動軸３３に接続されるモータ３９を収納するモータケース４０が直結され、該下ケース２２ｃに該モータケース４０と連通する連通孔４１が設けられると共に、該モータケース４０の下部に該モータケース４０内に外気を導入するための少なくとも１個以上の吸気孔４２，４２が形成されている。
【００１６】
而して、前記回転駆動軸３３の回転により前記回転体３４が回転すると、前記偏心回転軸３０が偏心回転し、これによって前記揺動体２６が揺動し、前記ダイヤフラム２４，２４の下端部を上下動させる。そして、例えば、一方のダイヤフラム２４の下端部が下動された時、該ダイヤフラム２４内は負圧になり、前記排気弁体３８は前記環状凹溝３７の前記内壁面３７ａに密着し、即ち、前記排気弁部Ｖ2は閉じ、且つ、前記吸気弁体２８は前記貫通孔２９を閉塞状態から開放し、即ち、前記吸気弁部Ｖ1は開状態となり、前記空気導入孔２７ａから前記ダイヤフラム２４内へ矢印Ｃの如く吸気が行われる。
【００１７】
次に、前記ダイヤフラム２４の下端部が上動された時、前記ダイヤフラム２４内は高圧になり、前記吸気弁体２８が前記貫通孔２９を閉塞して前記吸気弁部Ｖ1を閉状態にすると共に前記排気弁体３８が前記内壁面３７ａより拡径して前記排気弁部Ｖ2による排気が矢印Ｄの如く行われる。該排気弁体３８内より排出された空気は前記環状凹溝３７を通り前記排気孔３６から前記ケース２２外に排出される。
【００１８】
又、前記ダイヤフラム２４の上動に伴って前記下ケース２２ｃ内が負圧になり、前記連通孔４１を介して前記モータケース４０内の空気が矢印Ｅの如く流入し、これによって、該モータケース４０内が負圧になり前記吸気孔４２を介して外気が矢印Ｆの如く吸入される。
【００１９】
斯くして、本発明は前述したように、吸気弁体２８，２８がケース２２内に収納された各ダイヤフラム２４，２４の底部中心部に形成されるため、該吸気弁体２８，２８の作動音はケース２２内で消音され、更に、該吸気弁体２８，２８と連通される吸気孔４２，４２は該吸気弁体２８，２８が収納されるケース２２と別ケースであるモータケース４０の下部に形成され、且つ、該吸気弁体２８，２８から離れた位置に配置されるので該吸気孔４２，４２から漏れる前記吸気弁体２８，２８の作動音は極めて小さいものとなる。
【００２０】
又、前記モータケース４０内を流れる空気によって前記モータ３９の発熱を抑える冷却効果も期待できる。
【００２１】
尚、本発明は、本発明の精神を逸脱しない限り種々の改変を為すことができ、そして、本発明が該改変されたものに及ぶことは当然である。
【００２２】
【発明の効果】
本発明は上記一実施の形態に詳述したように、ケース内に収納されたダイヤフラムが上下動されてポンプ動作を行う小型ポンプに於て、前記各ダイヤフラムの底部中心部に吸気弁部を構成し、更に、モータケースの下部に外気を導入するための吸気孔を設けたから、前記吸気弁体の作動音は前記ケース内で消音され、更に、該吸気弁体と連通される前記吸気孔は該吸気弁体が収納されるケースと別ケースである前記モータケースの下部に形成され、且つ、該吸気弁体から離れた位置に配置されるので該吸気孔から漏れる前記吸気弁体の作動音は極めて小さいものとなる。又、前記モータケース内を流れる空気によってモータの発熱を抑える冷却効果も期待できる等、正に著大なる効果を奏する発明である。
【図面の簡単な説明】
【図１】本発明の一実施の形態を示し、小型ポンプの縦断面図。
【図２】従来例を示し、小型ポンプの一部切欠正面図。
【符号の説明】
２１      小型ポンプ
２２      ケース
２３      ポンプ室
２４      ダイヤフラム
２６      揺動体
２８      吸気弁体
３０      偏心回転軸
３９      モータ
４０      モータケース
４１      連通孔
４２      吸気孔
Ｖ1       吸気弁部
【図１】
0004617554.tif 000002
【図２】
0004617554.tif 000003